(57)【要約】【課題】複数の発光ダイオードの光点をぼかすとともに、複数の発光ダイオードの光を集めて照明の明るさを向上する。【解決手段】照明装置１０は円柱状の透明な樹脂２０、複数の発光ダイオード３０および光反射部材４０を備えている。複数の発光ダイオード３０は樹脂２０の中心軸２１の方向の両端部２２、２３に配設され、複数の発光ダイオード３０が発する光は樹脂２０の内部に向けて放射され、光反射部材４０の表面は光を乱反射するように凹凸が形成され、光反射部材４０は樹脂２０の円周面２４の一部分に配設され、複数の発光ダイオード３０が発する光は、樹脂２０の内部を通過して光反射部材４０で乱反射し、さらに樹脂２０の内部を通過して、樹脂２０の円周面２４のうち光反射部材４０が配設されていない部分から樹脂２０の外に放射される。【選択図】図１
0003136984.tif 000002
【実用新案登録請求の範囲】
【請求項１】
円柱状の透明な樹脂、複数の発光ダイオードおよび光反射部材を備え、
前記複数の発光ダイオードは前記樹脂の中心軸方向の両端部に配設され、
前記複数の発光ダイオードが発する光は前記樹脂の内部に向けて放射され、
前記光反射部材の表面は光を乱反射するように凹凸が形成され、
前記光反射部材は前記樹脂の円周面の一部分に配設され、
前記複数の発光ダイオードが発する光は、前記樹脂の内部を通過して前記光反射部材で乱反射し、さらに前記樹脂の内部を通過して、前記樹脂の円周面のうち前記光反射部材が配設されていない部分から前記樹脂の外に放射されることを特徴とする照明装置。
【請求項２】
請求項１記載の照明装置であって、
前記樹脂の円周面のうち前記光反射部材が配設されていない部分は全円周面の９／３０〜１１／３０であることを特徴とする照明装置。
【請求項３】
請求項１または２記載の照明装置であって、
前記複数の発光ダイオードが発する光は前記円柱状の透明な樹脂の中心軸に向けて放射されることを特徴とする照明装置。
【請求項４】
請求項１から３までに記載の照明装置であって、
前記円柱状の透明な樹脂の代わりに楕円柱状の透明な樹脂を備え、前記楕円柱状の透明な樹脂の長径の一端側に前記光反射部材を配設し、前記楕円柱状の透明な樹脂の長径の他端側に前記光反射部材を配設しないことを特徴とする照明装置。
【考案の詳細な説明】
【技術分野】
【０００１】
本考案は、複数の発光ダイオードを使用した照明装置に関し、特に複数の発光ダイオードの光をまとめて１つの光源とする技術に関するものである。
【背景技術】
【０００２】
従来、複数の発光ダイオードを使用した照明装置がある（例えば特許文献１参照）。この場合は図７に示すように、照明装置５０の放熱板５１の一方の面に設けられたシート状の絶縁体５２と、絶縁体５２上に実装された複数の発光ダイオード５３と、放熱板５１の前記一方の面に対して離間して対向し発光ダイオード５３の光を配光する反射板５４とを備えている。そして、放熱板５１は反射板５４の反対側から見て発光ダイオード５３の少なくとも発光部を覆い、反射板５４は発光ダイオード５３の光を乱反射する。これにより、発光ダイオード５３の光による光点がぼやけるので、光点が目立つことによる見栄えの悪化が低減され、見栄えが向上する。
【特許文献１】特開２００７−８０５３８号公報
【考案の開示】
【考案が解決しようとする課題】
【０００３】
しかし、上述の従来例では、単に複数の発光ダイオード５３の光点をぼかすのみであり、複数の発光ダイオード５３の光を集めて照明度を向上することはできなかった。
そこで、本考案の目的は、上述の問題点を解決し、複数の発光ダイオードの光点をぼかすとともに、複数の発光ダイオードの光を集めて照明の明るさを向上することができる照明装置を提供することである。
【課題を解決するための手段】
【０００４】
上記課題を解決するため、請求項１記載の考案は、円柱状の透明な樹脂、複数の発光ダイオードおよび光反射部材を備え、前記複数の発光ダイオードは前記樹脂の中心軸方向の両端部に配設され、前記複数の発光ダイオードが発する光は前記樹脂の内部に向けて放射され、前記光反射部材の表面は光を乱反射するように凹凸が形成され、前記光反射部材は前記樹脂の円周面の一部分に配設され、前記複数の発光ダイオードが発する光は、前記樹脂の内部を通過して、前記光反射部材で乱反射し、さらに前記樹脂の内部を通過（通過する途中にてさらに前記光反射部材で乱発射する場合を含む。）して、前記樹脂の円周面のうち前記光反射部材が配設されていない部分から前記樹脂の外に放射されることを特徴とする照明装置である。
請求項１記載の考案により、光反射部材は円柱状の透明な樹脂の円周面の一部分に配設され、前記樹脂の中心軸方向の両端部に配設された複数の発光ダイオードが発する光が前記樹脂の内部に向けて放射され、前記樹脂の内部を通過して前記光反射部材で乱反射し、さらに前記樹脂の内部を通過して、前記樹脂の円周面のうち前記光反射部材が配設されていない部分から前記樹脂の外に放射されるので、複数の発光ダイオードが発する光は透明な樹脂中を通過して集められるとともに、光反射部材により乱反射されるので、複数の発光ダイオードの光点がぼけて、前記円周面のうち前記光反射部材が配設されていない部分が面光源のようになる。
【０００５】
さらに、請求項２記載の考案は、請求項１記載の照明装置であって、前記樹脂の円周面のうち前記光反射部材が配設されていない部分は全円周面の９／３０〜１１／３０であることを特徴とする照明装置である。
請求項２記載の考案により、全円周面の９／３０〜１１／３０が面光源となるので、この面光源から光が放射されるようにすることができる。また、このようにすると、前記複数の発光ダイオードが発する光の集光ができるとともに、前記面光源の広さを確保することができる。
【０００６】
さらに、請求項３記載の考案は、請求項１または２記載の照明装置であって、前記複数の発光ダイオードが発する光は前記円柱状の透明な樹脂の中心軸に向けて放射されることを特徴とする照明装置である。
請求項３記載の考案により、前記複数の発光ダイオードが発する光は前記円柱状の透明な樹脂の中心軸に向けて放射されるので、前記複数の発光ダイオードが発する光が前記光反射部材で反射する位置が前記光反射部材にて散在するようにすることができる。
【０００７】
さらに、請求項４記載の考案は、請求項１から３までに記載の照明装置であって、前記円柱状の透明な樹脂の代わりに楕円柱状の透明な樹脂を備え、前記楕円柱状の透明な樹脂の長径（前記楕円の長径）の一端側に前記光反射部材を配設し、前記楕円柱状の透明な樹脂の長径の他端側に前記光反射部材を配設しないことを特徴とする照明装置である。
請求項４記載の考案により、前記楕円柱状の透明な樹脂の長径の一端部側に配設した光反射部材により複数の発光ダイオードが発する光が乱反射し、前記楕円柱状の透明な樹脂の長径の他端部側から樹脂の外に放射される。
【考案の効果】
【０００８】
請求項１記載の考案によれば、複数の発光ダイオードの光点をぼかすとともに、複数の発光ダイオードの光を集めて照明の明るさを向上することができる。
さらに、請求項２記載の考案によれば、請求項１記載の考案の効果とともに、所定の面光源から光を放出することができる。
さらに、請求項３記載の考案によれば、請求項１または２記載の考案の効果とともに、発光ダイオードが発する光を樹脂内にて散乱させることができる。
さらに、請求項４記載の考案によれば、請求項１から３までに記載した考案の効果とともに、発光ダイオードが発する光を樹脂内にて一層集光することができる。
【考案を実施するための最良の形態】
【０００９】
以下、本考案における実施の形態を図面に基づいて説明する。
図１は本考案の実施の形態に係わる照明装置の外観を示し、図２は図１の照明装置の正面を示し、図３は図１の照明装置の発光ダイオードが発する光の方向を示し、図４は図１の照明装置の発光ダイオードの配置例を示し、図５（ａ）は図１の照明装置の光反射部材を示し、（ｂ）は（ａ）のＡ−Ａ断面を示し、（ｃ）は（ａ）のＢ−Ｂ断面を示す。さらに、図６は図１の照明装置の発光ダイオードの配線を示す。
【００１０】
図１に示すように、照明装置１０は、円柱状の透明なアクリル等の樹脂２０、複数の発光ダイオード３０および光反射部材４０を備えている。なお、樹脂２０はプラスチック等の枠体１１に支えられている。
【００１１】
複数の発光ダイオード３０は樹脂２０の中心軸２１の方向の両端部２２、２３（一方の端部２２および他方の端部２３）に配設されている。具体的には、両端部２２、２３の発光ダイオード３０を配設する位置にドリルで穴を形成し、この穴に発光ダイオード３０を入れて接着剤や接着用樹脂で接着する。また、一方の端部２２に８個の発光ダイオード３０ａが配設され、他方の端部２３にも同様に発光ダイオード３０ｂ（図６参照）が配設されている。図６に示すように、一方の端部２２に配設された８個の発光ダイオード３０ａと第１抵抗３３は直列に接続され、他方の端部２３に配設された８個の発光ダイオード３０ｂと第２抵抗３４も直列に接続され、「一方の端部２２の８個の発光ダイオード３０ａおよび第１抵抗３３」と「他方の端部２３の８個の発光ダイオード３０ｂおよび第２抵抗３４」とは並列に接続されて、直流電源３２に接続されている。したがって、この場合発光ダイオード３０の数は、８個の発光ダイオード３０ａと８個の発光ダイオード３０ｂの合計の１６個である。
図３に示すように、複数の発光ダイオード３０ａが発する光は樹脂２０の内部に向けて放射されている。複数の発光ダイオード３０ｂが発する光も同様である。なお、３１は発光ダイオード３０が発する光の方向を示す。
【００１２】
図４に示すように、例えば発光ダイオード３０の配置は三角で示す配置と丸で示す配置とがある。αは図２で示すように「円周面２４における光反射部材４０の一方の端部４１と他方の端部４２との中間線４８」と「発光ダイオード３０と中心軸２１を通る直線」との角度である。また、θは図３に示すように発光ダイオード３０の光の方向３１が樹脂２０の一方の端部２２となす角度である。なお、他方の端部２３に配設された発光ダイオード３０も同様である。
なお、光の方向３１と中心軸２１との角度をβとすると、θは９０度−βである。
【００１３】
図２に示すように、光反射部材４０の表面（反射面）４３は光を乱反射するように凹凸４４が形成されている。具体的には、図５に示すように、表面４３は複数の横線４６および複数の縦線４７により多数の四角形に区分されている。各四角形の表面４３は凸状に湾曲している。
図２に示すように、光反射部材４０は樹脂２０の円周面２４の一部分に配設されている。具体的には、光反射部材４０は樹脂または金属にクロム等のメッキしたものであり、メッキ面が表面４３となる。そして、表面４３が熱圧着により円周面２４に固定されている。熱圧着は例えば光反射部材４０を１８０℃に加熱して行う。
【００１４】
複数の発光ダイオード３０が発する光は、樹脂２０の内部を通過して光反射部材４０で乱反射し、さらに樹脂２０の内部を通過（通過する途中にてさらに光反射部材４０で乱発射する場合を含む。）して、樹脂２０の円周面２４のうち光反射部材４０が配設されていない部分から樹脂２０の外に放射される。
【００１５】
さらに、樹脂２０の円周面２４のうち光反射部材４０が配設されていない部分（開口部）は全円周面２４の９／３０〜１１／３０である。
また、図３に示すように、複数の発光ダイオード３０が発する光は樹脂２０の円柱の中心軸２１に向けて放射される。
【００１６】
また、複数の発光ダイオード３０が発する光が光反射部材４０で反射される部位Ｘ１〜Ｘ４は樹脂２０の中心軸２１の方向において散在するように配置されている。このため、光反射部材４０において広い範囲で複数の発光ダイオード３０が発する光を反射させることができる。
具体的には    Ｘ４−Ｘ３＝Ｘ３−Ｘ２＝Ｘ２−Ｘ１
であり、Ｘ１から樹脂２０の一方の端部２２までの距離は（Ｘ２−Ｘ１）／２である。
なお、ｔａｎθ１＝（Ｘ１から樹脂２０の一方の端部２２までの距離）／Ｌ
である。また、図３は樹脂２０の一方の端部２２側の半分を示しているが、樹脂２０の他方の端部２３（図１参照）側の半分も同様である。そして、Ｘ２−Ｘ１は樹脂２０の一方の端部２２から他方の端部２３までの長さの１／８である。
また、図３に示すように、各発光ダイオード３０ａが発する光と中心軸２１との角度は、β１〜β４になるように発光ダイオード３０ａが配設されている。そして、各βとαとの関係は図４に示されている。
【００１７】
上記構成の照明装置１０は、以下の動作をする。
光反射部材４０は円柱状の透明な樹脂２０の円周面２４の一部分に配設され、樹脂２０の中心軸２１の方向の両端部２２、２３に配設された複数の発光ダイオード３０が発する光が樹脂２０の内部に向けて放射され、樹脂２０の内部を通過して光反射部材４０で乱反射し、さらに樹脂２０の内部を通過して、樹脂２０の円周面２４のうち光反射部材４０が配設されていない部分から樹脂２０の外に放射されるので、複数の発光ダイオード３０が発する光は透明な樹脂２０中を通過して集められるとともに、光反射部材４０により乱反射されるので、複数の発光ダイオード３０の光点がぼけて、円周面２４のうち光反射部材４０が配設されていない部分が面光源のようになる。
【００１８】
さらに、全円周面２４の９／３０〜１１／３０が面光源となるので、この面光源から光が放射されるようにすることができる。また、このようにすると、複数の発光ダイオード３０が発する光の集光ができるとともに、前記面光源の広さを確保することができる。
さらに、複数の発光ダイオード３０が発する光は樹脂２０の中心軸２１に向けて放射されるので、複数の発光ダイオード３０が発する光が光反射部材４０で反射する位置が光反射部材４０にて散在するようにすることができる。
【００１９】
なお、上記実施の形態において、枠体１１は図示されたものに限定されず、任意の形状とすることができる。
また、光反射部材４０の表面４３の凹凸４４は図示されたものに限定されず、光を乱反射するものであればよい。
また、発光ダイオード３０が発する光の色は、白に限らず、青、赤、黄など種々の色でもよい。この色を変えることにより色の変化の面白さを演出することができる。
また、発光ダイオード３０の数は１６個に限定されず、任意の数とすることができる。
また、本願考案に係る照明装置は、例えば間接照明としての枕元の薄暗い照明装置などにも使用できる。
【００２０】
さらに、円柱状の透明な樹脂２０の代わりに楕円柱状の透明な樹脂を備え、前記楕円柱状の透明な樹脂の長径の一端側に前記光反射部材を配設し、前記楕円柱状の透明な樹脂の長径の他端側に前記光反射部材を配設しないようにすることもできる。
このようにすると、楕円柱状の透明な樹脂の長径の一端部側に配設した光反射部材により複数の発光ダイオード３０が発する光が乱反射し、前記楕円柱状の透明な樹脂の長径の他端部側から樹脂の外に放射される。このため、複数の発光ダイオード３０が発する光を前記楕円柱状の透明な樹脂内で一層集光して前記楕円柱状の透明な樹脂の外に放射することができる。
【図面の簡単な説明】
【００２１】
【図１】本考案の実施の形態に係わる照明装置の外観を示す斜視図である。
【図２】図１の照明装置の正面図である。
【図３】図１の照明装置の発光ダイオードが発する光の方向を示す説明図である。
【図４】図１の照明装置の発光ダイオードの配置例を示すグラフである。
【図５】（ａ）は図１の照明装置の光反射部材を示す部分図であり、（ｂ）は（ａ）のＡ−Ａ断面図であり、（ｃ）は（ａ）のＢ−Ｂ断面図である。
【図６】図１の照明装置の発光ダイオードの配線図である。
【図７】従来の照明装置の断面図である。
【符号の説明】
【００２２】
１０  照明装置
２０  樹脂
２１  中心軸
２２  一方の端部
２３  他方の端部
２４  円周面
３０  発光ダイオード
４０  光反射部材
４３  表面
４４  凹凸
【図１】
0003136984.tif 000003
【図２】
0003136984.tif 000004
【図３】
0003136984.tif 000005
【図４】
0003136984.tif 000006
【図５】
0003136984.tif 000007
【図６】
0003136984.tif 000008
【図７】
0003136984.tif 000009